(57)【要約】  基地局装置と端末装置とを備える無線通信システムにおける無線通信方法において、前記基地局装置は、前記基地局装置の周辺基地局装置の識別情報と、前記端末と前記周辺基地局装置との通信に利用される通信パラメータ情報を前記周辺基地局装置から受信するための指示情報とを含む広報メッセージを生成し、生成した前記広報メッセージを送信し、前記端末装置は、前記広報メッセージを受信し、前記広報メッセージに含まれる前記指示情報に基づいて、前記周辺基地局装置が送信する前記通信パラメータ情報を受信する。
2010079532.tif 000002
【特許請求の範囲】
【請求項１】
基地局装置と端末装置とを備える無線通信システムにおける無線通信方法において、
前記基地局装置は、
前記基地局装置の周辺基地局装置の識別情報と、前記端末と前記周辺基地局装置との通信に利用される通信パラメータ情報を前記周辺基地局装置から受信するための指示情報とを含む広報メッセージを生成し、
生成した前記広報メッセージを送信し、
前記端末装置は、
前記広報メッセージを受信し、
前記広報メッセージに含まれる前記指示情報に基づいて、前記周辺基地局装置が送信する前記通信パラメータ情報を受信する、
ことを特徴とする無線通信方法。
【請求項２】
前記通信パラメータを受信するステップは、前記広報メッセージに含まれる前記識別情報に基づいて前記周辺基地局装置の受信信号レベルを探査するステップを含み、
前記探査ステップにより探査した前記受信信号レベルが閾値以上の前記周辺基地局装置から前記通信パラメータを受信することを特徴とする請求項１記載の無線通信方法。  
【請求項３】
前記通信パラメータを受信するステップは、前記広報メッセージに含まれる前記識別情報に基づいて前記周辺基地局装置と同期するステップを含み、
前記通信パラメータを受信するステップは、前記同期ステップにより同期した前記周辺基地局装置から前記通信パラメータ情報を受信することを特徴とする請求項１または２記載の無線通信方法。
【請求項４】
前記指示情報は、前記周辺基地局装置が前記通信パラメータ情報を送信する送信タイミングを含み、
前記通信パラメータを受信するステップは、前記送信タイミングで前記通信パラメータ情報を受信することを特徴とする請求項１または２記載の無線通信方法。
【請求項５】
さらに、前記端末装置は、前記広報メッセージに基づいて前記通信パラメータ情報を受信するための中断期間を前記基地局装置に送信し、
前記基地局装置は、前記端末装置から受信した前記中断期間に基づいて前記端末装置の中断期間を決定し、決定した前記中断期間を前記端末装置に送信し、
前記通信パラメータを受信するステップは、前記基地局装置から受信した前記中断期間に前記通信パラメータを受信することを特徴とする請求項１記載の無線通信方法。
【請求項６】
前記中断期間は、前記周辺基地局装置が使用する無線周波数により異なることを特徴とする請求項５記載の無線通信方法。
【請求項７】
さらに、前記端末装置は、前記識別情報と前記指示情報、及び前記通信パラメータ情報とを記憶部に記憶することを特徴とする請求項１または２記載の無線通信方法。
【請求項８】
前記中断期間は、前記基地局装置と無線通信の中断を開始する時刻または無線フレーム数と、中断期間を示す時刻または無線フレーム数と、中断期間の繰り返し期間を示す時刻または無線フレーム数とを含むことを特徴とする請求項５記載の無線通信方法。
【請求項９】
前記広報メッセージはＮＢＲ‐ＡＤＶメッセージであり、前記通信パラメータ情報はＤＣＤ及びＵＣＤメッセージに含まれることを特徴とする請求項１記載の無線通信方法。
【請求項１０】
基地局装置と端末装置とを備える無線通信システムにおいて、
前記基地局装置は、
前記基地局装置の周辺基地局装置の識別情報と、前記端末と前記周辺基地局装置との通信に利用される通信パラメータ情報を前記周辺基地局装置から受信するための指示情報とを含む広報メッセージを生成する生成部と、
生成した前記広報メッセージを送信する送信部とを備え、
前記端末装置は、
前記広報メッセージを受信し、前記広報メッセージに含まれる前記指示情報に基づいて、前記周辺基地局装置が送信する前記通信パラメータ情報を受信する受信部を備える、
ことを特徴とする無線通信システム。
【請求項１１】
端末装置と無線通信を行う基地局装置において、
前記基地局装置の周辺基地局装置の識別情報と、前記端末と前記周辺基地局装置との通信に利用される通信パラメータ情報を前記周辺基地局装置から受信するための指示情報とを含む広報メッセージを生成する生成部と、
生成した前記広報メッセージを送信する送信部と
を備えることを特徴とする基地局装置。
【請求項１２】
基地局装置と無線通信を行う端末装置において、
前記基地局装置の周辺基地局装置の識別情報と、前記端末と前記周辺基地局装置との通信に利用される通信パラメータ情報を前記周辺基地局装置から受信するための指示情報とを含む広報メッセージを前記基地局装置から受信し、前記広報メッセージに含まれる前記指示情報に基づいて前記周辺無線基地局装置から送信される前記通信パラメータ情報を受信する受信部、
を備えることを特徴とする端末装置。
【発明の詳細な説明】
【技術分野】
【０００１】
本発明は、無線通信システムにおける無線通信方法、無線通信システム、基地局装置、及び端末装置に関する。
【背景技術】
【０００２】
従来から、基地局はＮＢＲ‐ＡＤＶ（Neighbor
Advertisement）メッセージを配下の端末に周期的にブロードキャストで送信している（例えば、以下の非特許文献１、２）。端末はＮＢＲ‐ＡＤＶメッセージに含まれるパラメータを用いてハンドオーバを実行する。【０００３】
図１８（Ａ）はＮＢＲ‐ＡＤＶメッセージに含まれるパラメータの例を示す図である。ＮＢＲ‐ＡＤＶメッセージには、周辺基地局の「ＢＳＩＤ」等を含み、さらに「ＤＣＤ  ｓｅｔｔｉｎｇｓ」と「ＵＣＤ  ｓｅｔｔｉｎｇｓ」も含む。【０００４】
図１８（Ｂ）は「ＤＣＤ  ｓｅｔｔｉｎｇｓ」と「ＵＣＤ  ｓｅｔｔｉｎｇｓ」に含まれるパラメータの例を示す図である。「ＤＣＤ  ｓｅｔｔｉｎｇｓ」と「ＵＣＤ  ｓｅｔｔｉｎｇｓ」は、それぞれダウンリンク方向とアップリンク方向において端末と基地局との接続に関する種々のパラメータを含む。【０００５】
一方、基地局は、ＤＣＤ（Downlink
Channel Descriptor）メッセージ及びＵＣＤ（Uplink Channel Descriptor）メッセージを周期的に配下の端末に送信している。基地局が送信するＤＣＤ及びＵＣＤメッセージには、当該基地局と接続するための「ＤＣＤ  ｓｅｔｔｉｎｇｓ」と「ＵＣＤ  ｓｅｔｔｉｎｇｓ」が含まれる。【０００６】
よって、端末が現在無線接続している接続先基地局は、自身の周辺に存在する周辺基地局に関する「ＤＣＤ  ｓｅｔｔｉｎｇｓ」と「ＵＣＤ  ｓｅｔｔｉｎｇｓ」をＮＢＲ‐ＡＤＶメッセージに含めて送信するとともに、周辺基地局の各々も、自身に関する「ＤＣＤ  ｓｅｔｔｉｎｇｓ」と「ＵＣＤ  ｓｅｔｔｉｎｇｓ」をＤＣＤ及びＵＣＤメッセージに含めて送信する。
【非特許文献１】IEEE Std 802.16TM-2004
【非特許文献２】IEEE Std 802.16TMe-2005
【発明の開示】
【発明が解決しようとする課題】
【０００７】
しかし、「ＤＣＤ  ｓｅｔｔｉｎｇｓ」、「ＵＣＤ  ｓｅｔｔｉｎｇｓ」等の情報量は少なくなく、ＮＢＲ‐ＡＤＶメッセージの情報量を増大させ、無線帯域の有効活用が十分図られていない。【０００８】
そこで、本発明の目的の１つは、無線帯域を有効活用した無線通信システムにおける無線通信方法、無線通信システム、基地局装置、及び端末装置を提供することにある。【０００９】
また、他の目的の１つは、処理の複雑化を抑制した無線通信システムにおける無線通信方法、無線通信システム、基地局装置、及び端末装置を提供することにある。【００１０】
また、他の目的の１つは端末の消費電力を削減するようにした無線通信システムにおける無線通信方法等を提供することにある。
【課題を解決するための手段】
【００１１】
一態様によれば、基地局装置と端末装置とを備える無線通信システムにおける無線通信方法において、前記基地局装置は、前記基地局装置の周辺基地局装置の識別情報と、前記端末と前記周辺基地局装置との通信に利用される通信パラメータ情報を前記周辺基地局装置から受信するための指示情報とを含む広報メッセージを生成し、生成した前記広報メッセージを送信し、前記端末装置は、前記広報メッセージを受信し、前記広報メッセージに含まれる前記指示情報に基づいて、前記周辺基地局装置が送信する前記通信パラメータ情報を受信する。【００１２】
また、他の態様によれば、基地局装置と端末装置とを備える無線通信システムにおいて、前記基地局装置は、前記基地局装置の周辺基地局装置の識別情報と、前記端末と前記周辺基地局装置との通信に利用される通信パラメータ情報を前記周辺基地局装置から受信するための指示情報とを含む広報メッセージを生成する生成部と、生成した前記広報メッセージを送信する送信部とを備え、前記端末装置は、前記広報メッセージを受信し、前記広報メッセージに含まれる前記指示情報に基づいて、前記周辺基地局装置が送信する前記通信パラメータ情報を受信する受信部を備える。【００１３】
さらに、他の態様によれば、端末装置と無線通信を行う基地局装置において、前記基地局装置の周辺基地局装置の識別情報と、前記端末と前記周辺基地局装置との通信に利用される通信パラメータ情報を前記周辺基地局装置から受信するための指示情報とを含む広報メッセージを生成する生成部と、生成した前記広報メッセージを送信する送信部とを備える。【００１４】
さらに、他の態様によれば、基地局装置と無線通信を行う端末装置において、前記基地局装置の周辺基地局装置の識別情報と、前記端末と前記周辺基地局装置との通信に利用される通信パラメータ情報を前記周辺基地局装置から受信するための指示情報とを含む広報メッセージを前記基地局装置から受信し、前記広報メッセージに含まれる前記指示情報に基づいて前記周辺無線基地局装置から送信される前記通信パラメータ情報を受信する受信部を備える。
【発明の効果】
【００１５】
無線帯域を有効活用した無線通信システムにおける無線通信方法、無線通信システム、基地局装置、及び端末装置を提供することができる。また、処理の複雑化を抑制することができる。また、端末の消費電力を削減するようにした無線通信システムにおける無線通信方法を提供することができる。
【図面の簡単な説明】
【００１６】
【図１】図１は無線通信システムの構成例を示す図である。
【図２】図２は無線通信システムの他の構成例を示す図である。
【図３】図３はネットワーク構成例を示す図である。
【図４】図４は基地局装置の構成例を示す図である。
【図５】図５は端末装置の構成例を示す図である。
【図６】図６は端末装置の動作例を示す図である。
【図７】図７は無線通信システムにおける動作例を示すシーケンス図である。
【図８】図８は記憶部に記憶される情報の例を示す図である。
【図９】図９はスキャン期間とＤＣＤ及びＵＣＤメッセージの送信タイミングとの関係例を示す図である。
【図１０】図１０は記憶部に記憶される情報の例を示す図である。
【図１１】図１１は各基地局装置における中心周波数の関係例を示す図である。
【図１２】図１２（Ａ）及び同図（Ｂ）は、ＤＣＤ及びＵＣＤメッセージの送信タイミングと「ｓｃａｎ  ｄｕｒａｔｉｏｎ」の設定例を示す図である。
【図１３】図１３（Ａ）及び同図（Ｂ）は基地局装置における動作例を示すフローチャートである。
【図１４】図１４（Ａ）及び同図（Ｂ）は端末装置における動作例を示すフローチャートである。
【図１５】図１５（Ａ）及び同図（Ｂ）はスキャン期間のネゴシエーション処理等の例を示すフローチャートである。
【図１６】図１６（Ａ）及び同図（Ｂ）はハンドオーバ処理の例を示すフローチャートである。
【図１７】図１７は無線通信システムにおける他の動作例を示すフローチャートである。
【図１８】図１８（Ａ）はＮＢＲ‐ＡＤＶメッセージに含まれるパラメータの例、同図（Ｂ）はＮＢＲ‐ＡＤＶメッセージと、ＤＣＤ及びＵＣＤメッセージとに含まれるパラメータの例をそれぞれ示す図である。
【符号の説明】
【００１７】
１０：無線通信システム                １００：基地局装置（ＢＳ）
１００‐１：接続元基地局装置（ＳＢＳ）
１００‐２：接続先基地局装置（ＴＢＳ）
１０３：受信部                        １０４：復調部
１０５：復号化部                      １０６：制御データ抽出部
１１３：ＰＤＵ生成部                  １１４：符号化部
１１５：変調部                        １１６：送信部
１１７：記憶部                        １１８：制御部
１５０：生成部                        １６０：送信部
２００：端末装置（ＭＳ）              ２１０：受信処理部
２１１：受信部                        ２１２：復調部
２１３：復号化部                      ２１４：制御データ抽出部
２２１：記憶部                        ２２２：制御部
２３０：送信処理部                    ２３３：ＰＤＵ生成部
２３４：符号化部                      ２３５：変調部
２３６：送信部                        ２４０：ＡＳＮ‐ＧＷ
２５０：受信部
【発明を実施するための最良の形態】
【００１８】
本発明を実施するための形態について以下説明する。【００１９】
＜第１の実施例＞
第１の実施例について説明する。図１は無線通信システム１０の構成例を示す図である。基地局装置１００と端末装置２００とを備える無線通信システム１０において、前記基地局装置１００は、前記基地局装置１００の周辺基地局装置の識別情報と、前記端末と前記周辺基地局装置との通信に利用される通信パラメータ情報を前記周辺基地局装置から受信するための指示情報とを含む広報メッセージを生成する生成部１５０と、生成した前記広報メッセージを送信する送信部１６０とを備え、前記端末装置２００は、前記広報メッセージを受信し、前記広報メッセージに含まれる前記指示情報に基づいて、前記周辺基地局装置が送信する前記通信パラメータ情報を受信する受信部２５０を備える。【００２０】
通信パラメータ情報は、無線通信に利用される各種パラメータ（基地局の送信パワ、利用する変調方式・符号化レートを指定する際に用いるコード情報、ＤＣＤ、ＵＣＤのバージョン情報、送信期間と受信期間の間のギャップ時間、ＨＡＲＱ制御に用いられる各種情報、ハンドオーバ起動条件として用いられる閾値情報、各種レンジングに用いるべきコードの情報等）を含むため、１つの基地局に関連する情報あたり数百バイトを超える情報量になることが多いが、指示情報としては、各種パラメータの受信に役立つ情報（例えば、受信タイミング等の比較的少ない情報量（通信パラメータ情報より少ない情報量））とすることができるので、情報量が少ない。【００２１】
従って、各種パラメータの全て又は一部については、周辺基地局自身が送信する各種パラメータを効果的に利用することとした。すなわち、周辺基地局が送信する各種パラメータの全て又は一部については、広報メッセージに含めないこととし、代わりに、周辺基地局が送信する当該各種パラメータの受信に役立つ情報（例えば、受信タイミング等の比較的少ない情報量（通信パラメータ情報より少ない情報量））を送信することで、広報メッセージ全体の情報量を削減することができる。【００２２】
なお、基地局ＩＤ、基地局が送信するプリアンブルの識別情報（プリアンブルインデックス）等の基地局識別情報は、情報量も少なく、通信パラメータとは、別個のものとして扱い、広報メッセージに含めてよい。【００２３】
以上のように、ある側面では、第１の実施形態では、基地局装置と端末装置とを備える無線通信システムにおける無線通信方法において、基地局装置は、周辺基地局装置の識別情報と、周辺基地局装置が送信するパラメータ情報の送信タイミング情報とを含む隣接基地局情報を送信し、端末装置は、受信した送信タイミング情報を利用して、周辺基地局装置が送信するパラメータ情報を受信するのである。ここで、送信タイミング情報の情報量は、その送信タイミング情報に基づいて受信可能な、周辺基地局装置が送信するパラメータ情報の総情報量より少ないことが望ましい。しかし、送信タイミング情報は、周辺基地局が送信するパラメータ情報の内容が変化する場合等に、その変化に応じて更新しなくともよいため、処理の複雑化を抑制でき、情報量が少なくない場合であっても依然として効果がある。【００２４】
＜第２の実施例＞
図２は無線通信システム１０の構成例を示す図である。無線通信システム１０は、基地局装置（以下、ＢＳ（Base
Station））１００と端末装置（以下、ＭＳ（Mobile Station））２００とを備える。【００２５】
無線通信システム１０は、１台のＢＳ１００に複数のＭＳ２００が接続されるＰ‐ＭＰ型接続を基本とする。同図に示すように、ＭＳ２００として、パーソナルコンピュータ２００‐１や、ＰＤＡ（Personal
Digital Assistance）２００‐２、携帯電話２００‐３などがＢＳ１００に接続される。【００２６】
図３は無線通信システム１０を含むネットワーク構成例を示す図である。ＢＳ１００‐１，１００‐２は、ＡＳＮ‐ＧＷ（Access
Service Network Gateway）３００に接続される。ＡＳＮ‐ＧＷ３００は、接続されたＢＳ１００‐１，１００‐２に対して種々の制御等を行う。【００２７】
なお、ＢＳ１００‐１，１００‐２とＡＳＮ‐ＧＷ３００とにより構成されるネットワークはＡＳＮ（Access
Service Network）と呼ばれ、例えばレイヤ２でパケットが転送される。また、ＡＳＮ‐ＧＷ３００は、ＣＳＮ（Connective
Service Network）に接続され、例えばレイヤ３でパケットのルーティングや転送を行う。【００２８】
次に、ＢＳ１００とＭＳ２００の構成例を説明する。図４はＢＳ１００、図５はＭＳ２００の各構成例を示す図である。【００２９】
ＢＳ１００は、アンテナ１０１と、デュプレクサ１０２と、受信部１０３と、復調部１０４と、復号化部１０５と、制御データ抽出部１０６と、パケット再生部１０７と、ＮＷ（Network）インターフェース部１１０と、パケット識別部１１１と、パケットバッファ部１１２と、ＰＤＵ（Protocol Data Unit）生成部１１３と、符号化部１１４と、変調部１１５と、送信部１１６と、記憶部１１７、及び制御部１１８を備える。【００３０】
本第２の実施例では、第１の実施例における生成部１５０の例として、記憶部１１７、制御部１１８、及びＰＤＵ生成部１１３を用い、送信部１６０の例として、符号化部１１４、変調部１１５、送信部１１６、デュプレクサ１０２、及びアンテナ１０１を用いる場合について説明する。【００３１】
アンテナ１０１は、ＭＳ２００との間で無線信号を送受信する。【００３２】
デュプレクサ１０２は、アンテナ１０１で送受信される信号をＢＳ１００の送受信系で共用するため混合器である。【００３３】
受信部１０３は、アンテナ１０１で受信した受信信号をデュプレクサ１０２を介して入力する。【００３４】
復調部１０４は、受信部１０３からの受信信号を復調する。【００３５】
復号化部１０５は、復調部１０４で復調された受信信号を復号する。【００３６】
制御データ抽出部１０６は、復号化部１０５で復号された受信信号から制御データを抽出し、制御データを制御部１１８に、ユーザデータ等の他のデータをパケット再生部１０７にそれぞれ出力する。【００３７】
パケット再生部１０７は、制御データ抽出部１０６から出力されたデータをパケット化する。【００３８】
ＮＷインターフェース部１１０は、ＡＳＮ‐ＧＷ３００等の上位装置に接続され、パケット再生部１０７からのパケットを上位装置に送信し、上位装置からパケットデータを受信する。【００３９】
パケット識別部１１１は、パケット再生部１０７からのパケットデータに対して、ＩＰ（Internet
Protocol）アドレスを識別し、パケットデータの宛先となるＭＳ２００を特定する。また、パケット識別部１１１は、パケット再生部１０７からのパケットデータに対して、特定したＭＳ２００のＩＤと、ＱｏＳ（Quality
of Service）情報等とを制御部１１８に出力し、帯域要求を行う。【００４０】
パケットバッファ部１１２は、制御部１１８からの制御によりパケット識別部１１１からのパケットデータを格納する。【００４１】
ＰＤＵ生成部１１３は、制御部１１８からの制御により、ＭＳ２００に送信するユーザデータまたは制御データを含むＰＤＵを生成する。【００４２】
符号化部１１４は、ＰＤＵ生成部１１３からのＰＤＵを符号化し、変調部１１５は符号化されたＰＤＵを変調する。【００４３】
送信部１１６は、変調されたＰＤＵを送信信号としてデュプレクサ１０２を介してアンテナ１０１に送信する。アンテナ１０１からは送信信号がＭＳ２００に無線送信される。【００４４】
記憶部１１７は、ＤＣＤ及びＵＣＤメッセージ、またはＮＢＲ‐ＡＤＶメッセージなどの制御メッセージに含まれる周辺ＢＳに関する情報や、無線通信に必要な通信パラメータ情報等を記憶する。詳細は後述する。なお、記憶部１１７は、ＭＳ２００から受信したＭＳの機能情報や認証情報等も記憶する。【００４５】
制御部１１８は、制御メッセージの送信をＰＤＵ生成部１１３に指示し、記憶部１１７に記憶された制御メッセージの生成に必要な情報、例えば周辺ＢＳに関する情報や無線通信に必要な通信パラメータ情報等をＰＤＵ生成部１１３に出力する。また、制御部１１８は、パケット識別部１１１からのＩＤ等の情報に基づいて、スケジューリングを行い、スケジューリングに従って送信信号が送信されるようパケットバッファ部１１２及びＰＤＵ生成部１１３を制御する。【００４６】
図５はＭＳ２００の構成例を示す図である。ＭＳ２００は、アンテナ２０１と、デュプレクサ２０２と、受信処理部２１０と、データ処理部２２０と、記憶部２２１と、制御部２２２、及び送信処理部２３０とを備える。【００４７】
本第２の実施例は、第１の実施例における受信部２５０の例として、受信部２１１、復調部２１２、符号化部２１３、制御データ抽出部２１４、制御部２２２、及び記憶部２２１を用いた場合について説明する。【００４８】
アンテナ２０１は、ＢＳ１００との間で無線信号を送受信する。【００４９】
デュプレクサ２０２は、アンテナ２０１で送受信される信号をＭＳ２００の受信処理部２１０と送信処理部２３０で共用するための混合器である。【００５０】
受信処理部２１０は、受信部２１１と、復調部２１２と、復号化部２１３と、制御データ抽出部２１４と、パケット再生部２１５とを備える。【００５１】
受信部２１１は、アンテナ２０１で受信した受信信号を、デュプレクサ２０２を介して入力する。【００５２】
復調部２１２は、受信部２１１からの受信信号を復調する。【００５３】
復号化部２１３は、復調部２１２で復調された受信信号を復号する。【００５４】
制御データ抽出部２１４は、復号化部２１３で復号された受信信号から制御データを抽出し、制御データを制御部２２２に、ユーザデータ等の他のデータをパケット再生部２１５に出力する。【００５５】
パケット再生部２１５は、制御データ抽出部２１４から出力されたデータをパケット化する。【００５６】
データ処理部２２０は、制御データ抽出部２１４からのパケットデータに対して、表示処理や音声出力等の各種処理を行う。また、データ処理部２２０は、通信先の装置に対して送信するユーザデータを含むパケットデータを送信処理部２３０に出力する。【００５７】
送信処理部２３０は、パケット識別部２３１と、パケットバッファ部２３２と、ＰＤＵ生成部２３３と、符号化部２３４と、変調部２３５と、送信部２３６とを備える。【００５８】
パケット識別部２３１は、データ処理部２２０からのパケットデータに含まれるＩＰアドレスを識別し、ＩＤによりコネクションを特定して、コネクションＩＤに対するＱｏＳ情報等を制御部２２２に出力し、送信要求を行う。【００５９】
パケットバッファ部２３２は、制御部２２２の制御により、パケット識別部２３１からのパケットデータを格納する。【００６０】
ＰＤＵ生成部２３３は、制御部２２２の制御により、制御データまたはパケットデータに含まれるユーザデータを含むＰＤＵを生成する。【００６１】
符号化部２３４は、ＰＤＵ生成部２３３からのＰＤＵを符号化する。変調部２３５は、符号化されたＰＤＵを変調し、送信部２３６は変調されたＰＤＵを、デュプレクサ２０２を介してアンテナ２０１に出力する。アンテナ２０１からは、送信信号がＢＳ１００に無線送信される。【００６２】
記憶部２２１は、ＢＳ１００から受信したＮＢＲ‐ＡＤＶメッセージや、ＤＣＤ及びＵＣＤメッセージなどの制御メッセージに含まれる情報、例えば周辺ＢＳに関する情報や通信に必要な通信パラメータ情報等を記憶する。また、記憶部２２１は、認証情報や鍵情報等の情報も記憶する。【００６３】
制御部２２２は、ＢＳ１００から受信した制御メッセージに含まれる情報を記憶部２２１に記憶する。また、制御部２２２は、例えば、ハンドオーバを実行する際に送信する制御メッセージの生成をＰＤＵ生成部２３３に指示する。その際、制御部２２２は記憶部２２１に記憶され、制御メッセージの送信に必要な情報をＰＤＵ生成部２３３に出力する。さらに、制御部２２２は、ＢＳ１００に対して帯域要求を行い、割当てられた帯域で制御メッセージに含まれる制御データやユーザデータなどが送信されるようにパケットバッファ部２３２及びＰＤＵ生成部２３３を制御等する。【００６４】
次に動作について説明する。図６は動作例を示す図である。同図に示すように、ＭＳ２００は、接続元のＢＳ（以下、ＳＢＳ（Serving
BS））１００‐１のサービスエリアから、接続先のＢＳ（以下、ＴＢＳ（Target BS））１００‐２にハンドオーバする。かかる例で以下説明する。【００６５】
図７は動作例を示すシーケンス図である。ＳＢＳ１００‐１は、広報メッセージ、例えばＮＢＲ‐ＡＤＶメッセージを周期的にブロードキャストで送信する（Ｓ１０）。【００６６】
図８はＮＢＲ‐ＡＤＶメッセージに含まれる情報の例を示す図である。ＮＢＲ‐ＡＤＶメッセージには、「Ｐｒｅａｍｂｌｅ  Ｉｎｄｅｘ」や「ＢＳＩＤ」、「ＦＡ（Frequency
Assignment）」などの周辺ＢＳの識別情報、さらに周辺ＢＳ１００から送信されるＤＣＤ及びＵＣＤメッセージを受信するのに必要な指示情報も含まれる。指示情報には、ＤＣＤ及びＵＣＤメッセージを送信する送信タイミング情報が含まれる。図８は、送信タイミング情報として、「ｆｒａｍｅ  ｏｆｆｓｅｔ」と「ｉｎｔｅｒｖａｌ」の例を示している。【００６７】
「ｆｒａｍｅ  ｏｆｆｓｅｔ」は、例えば、ＳＢＳ１００‐１がＮＢＲ‐ＡＤＶメッセージを送信後、何無線フレームで周辺ＢＳ１００がＤＣＤ及びＵＣＤメッセージを送信するかを示す。また、「ｉｎｔｅｒｖａｌ」は、例えば、周辺ＢＳ１００においてＤＣＤ及びＵＣＤメッセージを送信する送信周期を示す。送信周期は無線フレーム数で表される。図８の例は、ＤＣＤ及びＵＣＤメッセージを送信する送信タイミング情報を無線フレーム数で示す例である。【００６８】
送信タイミング情報は、例えば、Ｓｙｍｂｏｌ数や時間などにより表されてもよい。例えば、「ｆｒａｍｅ  ｏｆｆｓｅｔ」や「ｉｎｔｅｒｖａｌ」がＳｙｍｂｏｌ数や時間などで表される。また、ＤＣＤ及びＵＣＤメッセージを送信する周波数Ｓｕｂｃｈａｎｎｅｌが予め決まっているのであれば、指示情報は周波数Ｓｕｂｃｈａｎｎｅｌにより指定された情報でもよい。【００６９】
本処理（Ｓ１０）は例えば以下のようにして行われる。すなわち、ＳＢＳ１００‐１の記憶部１１７に周辺ＢＳに関する情報や指示情報等が記憶され、制御部１１８が記憶部１１７からこれらの情報を読み出して、ＰＤＵ生成部１１３に出力し、ＮＢＲ‐ＡＤＶメッセージの生成を指示する。そして、ＰＤＵ生成部１１３で生成されたＮＢＲ‐ＡＤＶメッセージが符号化部１１４等を介してブロードキャストで送信される。【００７０】
次いで、ＭＳ２００はＮＢＲ‐ＡＤＶメッセージを受信し、当該メッセージに含まれる情報を記憶する（Ｓ１１）。例えば、ＭＳ２００の制御部２２２は、制御データ抽出部２１４等を介して受信したＮＢＲ‐ＡＤＶメッセージから情報を取り出して記憶部２２１に記憶する。図８は、ＭＳ２００の記憶部２２１に記憶された情報の例でもある。【００７１】
次いで、ＭＳ２００は、ＳＢＳ１００‐１からの受信信号レベル（例えば、ＲＳＳＩ（Receiving
Signal Strength Indicator）、またはＣＩＮＲ（Carrier to Noise and
Interference Ratio））が閾値（ＴＨｓｃａｎ）を下回ったとき、ＳＣＮ‐ＲＥＱメッセージをＳＢＳ１００‐１に送信する（Ｓ１２，Ｓ１３）。【００７２】
本第２の実施例において、ＭＳ２００は、スキャン期間をＳＢＳ１００‐１と交渉するため、ＳＣＮ‐ＲＥＱメッセージにスキャン期間を含めて送信する。スキャン期間は例えばＳＢＳ１００‐１との通信の中断期間である。スキャン期間において、ＭＳ２００は、例えば周辺ＢＳ１００の受信信号レベルの測定とハンドオーバを行う際に必要となるＤＣＤ及びＵＣＤメッセージの受信を行う。ＭＳ２００は、ＳＣＮ‐ＲＥＱメッセージにスキャン期間を指定するパラメータを含めてＳＢＳ１００‐１に送信する。【００７３】
スキャン期間を指定するパラメータは、例えば、ＳＣＮ‐ＲＥＱメッセージを送信後にスキャンを開始する無線フレームを示す「ｓｔａｒｔ  ｆｒａｍｅ」と、スキャン期間の無線フレーム数を示す「ｓｃａｎ  ｄｕｒａｔｉｏｎ」、及びスキャン期間の繰り返し間隔の無線フレーム数を示す「ｓｃａｎ  ｉｎｔｅｒｖａｌ」を含む。各パラメータは、無線フレーム数以外にも時間で示されたものでもよい。【００７４】
ただし、ＭＳ２００は「ｓｃａｎ  ｄｕｒａｔｉｏｎ」を設定するときに、この期間内に周辺ＢＳ１００からＤＣＤ及びＵＣＤメッセージを受信できるように設定する。ＤＣＤ及びＵＣＤメッセージの送信はＮＢＲ‐ＡＤＶメッセージの指示情報に含まれているため、ＭＳ２００はこれを利用して、ＤＣＤ及びＵＣＤメッセージの送信タイミングがスキャン期間に含まれるように、各パラメータを設定する。スキャン期間の設定については後述する。【００７５】
本処理（Ｓ１２，Ｓ１３）は例えば以下のようにして行う。すなわち、受信部２１１が周辺ＢＳ１００の受信信号レベルを測定して制御部２２２に出力し、制御部２２２は記憶部２２１に記憶した閾値（ＴＨｓｃａｎ）と比較して受信信号レベルが下回ったか否かを判断する。また、制御部２２２は、記憶部２２１に記憶された指示情報に基づいてスキャン期間を指定するパラメータを生成し、ＰＤＵ生成部２３３にＳＣＮ‐ＲＥＱメッセージの生成の指示とともに出力し、当該メッセージがＰＤＵ生成部２３３等からＳＢＳ１００‐１に送信される。【００７６】
なお、ＭＳ２００が複数の周辺ＢＳ１００についてスキャンする場合、周辺ＢＳ１００毎にパラメータを指定することになり、この場合、例えば制御部２２２は周辺ＢＳ１００の識別子（例えば、「ＢＳＩＤ」や「Ｐｒｅａｍｂｌｅ  Ｉｎｄｅｘ」など）を含めて送信してもよい。【００７７】
ＳＢＳ１００‐１は、ＳＣＮ‐ＲＥＱメッセージを受信すると、ＳＣＮ‐ＲＳＰメッセージをＭＳ２００に送信する（Ｓ１４）。ＳＣＮ‐ＲＳＰメッセージには、スキャン期間を指定するパラメータ、スキャン対象の周辺ＢＳ１００の「ＢＳＩＤ」や「Ｐｒｅａｍｂｌｅ  Ｉｎｄｅｘ」等が含まれる。ＳＢＳ１００‐１は、これらのパラメータ等の情報をそのまま送信してもよいし、ＳＢＳ１００‐１で決定した当該パラメータを送信してもよい。ＳＢＳ１００‐１が決定した場合でも、図９に示すようにＤＣＤ及びＵＣＤメッセージの送信タイミングにスキャン期間が含まれるようにする。ＳＢＳ１００‐１は、スキャン期間中にＭＳ２００に対してデータや制御情報は送信しない。【００７８】
本処理（Ｓ１４）は例えば以下のようにして行われる。すなわち、ＳＢＳ１００‐１の制御部１１８は、制御データ抽出部１０６等を介してＳＣＮ‐ＲＥＱメッセージを受信し、上述したパラメータ等をＰＤＵ生成部１１３に出力する。そして、制御部１１８は、ＳＣＮ‐ＲＳＰメッセージの送信をＰＤＵ生成部１１３に指示し、ＰＤＵ生成部１１３から当該メッセージが送信される。【００７９】
ＭＳ２００は、ＳＣＮ‐ＲＳＰメッセージを受信するとスキャンを実行する。すなわち、ＭＳ２００は、ＳＢＳ１００‐１とネゴシエーションしたスキャン期間において、周辺ＢＳ１００と同期して、受信信号レベルを測定し、ＤＣＤ及びＵＣＤメッセージを周辺ＢＳ１００から受信する（Ｓ１５，Ｓ１６）。ＭＳ２００は、例えば、ＮＢＲ‐ＡＤＶメッセージにより受信した「Ｐｒｅａｍｂｌｅ  Ｉｎｄｅｘ」を用いて周辺ＢＳ１００のうちいずれかと同期し、ＳＣＮ‐ＲＳＰメッセージに含まれるパラメータにより指定されたスキャン期間において周辺ＢＳ１００からＤＣＤ及びＵＣＤメッセージを受信する。ＭＳ２００は、受信信号レベルと、受信したＤＣＤ及びＵＣＤメッセージに含まれる情報とを記憶する。【００８０】
ＤＣＤ及びＵＣＤメッセージには、ＭＳ２００が当該メッセージを送信したＢＳ１００に接続するための通信パラメータ情報、例えば「ＤＣＤ  ｓｅｔｔｉｎｇｓ」及び「ＵＣＤ  ｓｅｔｔｉｎｇｓ」が含まれる。従って、ＭＳ２００は、ＤＣＤ及びＵＣＤメッセージの受信により、周辺ＢＳ１００との通信に必要な通信パラメータ情報を受信できる。【００８１】
図１０は、ＭＳ２００に記憶される情報の例を示す図である。このうち、「Ｐｒｅａｍｂｌｅ  Ｉｎｄｅｘ」と「ＢＳＩＤ」、及び「ＦＡ」はＮＢＲ‐ＡＤＶメッセージに含まれる情報であり、「ＲＳＳＩ（ＣＩＮＲ）」は測定した周辺ＢＳ１００の受信信号レベル、「ＤＣＤ  ｓｅｔｔｉｎｇｓ」と「ＵＣＤ  ｓｅｔｔｉｎｇｓ」はそれぞれＤＣＤメッセージとＵＣＤメッセージに含まれる通信パラメータ情報の例である。【００８２】
本処理（Ｓ１５，Ｓ１６）は例えば以下のようにして行われる。すなわち、制御部２２２は、制御データ抽出部２１４等を介してＳＣＮ‐ＲＳＰメッセージを受信し、記憶部２２１に記憶された「Ｐｒｅａｍｂｌｅ  Ｉｎｄｅｘ」等を用いて送信処理部２３０を周辺ＢＳ１００に同期させる。そして、受信部２１１が周辺ＢＳ１００の受信信号レベルを測定し、制御部２２２に出力する。さらに、制御部２２２は、ＳＣＮ‐ＲＳＰメッセージに含まれるパラメータにより指定されたスキャン期間において、ＤＣＤ及びＵＣＤメッセージを周辺ＢＳ１００から受信する。なお、制御部２２２は、測定した受信信号レベルをＳＢＳ１００‐１に送信してもよい。【００８３】
また、周辺ＢＳ１００のＤＣＤ及びＵＣＤメッセージの送信は、例えば、記憶部２２１に通信パラメータ情報等が記憶され、制御部２２２がこれらの情報をＰＤＵ生成部２３３に出力し、当該メッセージの生成を指示し、ＰＤＵ生成部２３３等からＭＳ２００に送信される。【００８４】
次いで、ＳＢＳ１００‐１の受信信号レベル（例えば、ＲＳＳＩまたはＣＩＮＲなど）が閾値（ＴＨｈａｎｄｏｖｅｒ）を下回ると、ＭＳ２００はハンドオーバを起動するために、ＭＳＨＯ‐ＲＥＱメッセージをＳＢＳ１００‐１に送信する（Ｓ１８）。例えば、ＳＢＳ１００‐１の制御部２２２が受信部２１１で測定した受信信号レベルが閾値（ＴＨｈａｎｄｏｖｅｒ）を下回ったと判断すると、ＭＳＨＯ‐ＲＥＱメッセージの生成をＰＤＵ生成部２３３に指示し、ＰＤＵ生成部２３３から当該メッセージがＳＢＳ１００‐１に送信される。ＭＳＨＯ‐ＲＥＱメッセージには、ＭＳ２００が決定したハンドオーバ先となるＴＢＳ１００‐２の候補を一以上含めることができる。【００８５】
以降は、一連のハンドオーバシーケンスがＳＢＳ１００‐１、ＴＢＳ１００‐２、及びＭＳ２００との間で実行される。【００８６】
ＭＳＨＯ‐ＲＥＱメッセージを受信したＳＢＳ１００‐１は、当該メッセージに基づいてハンドオーバ先のＴＢＳの候補を選定し、選定したＴＢＳにＨＯ‐ｒｅｑメッセージを送信する（Ｓ１９）。図７はＴＢＳ１００‐２がＴＢＳの候補として選定された例を示す。例えば、ＳＢＳ１００‐１の制御部１１８がＴＢＳの候補を選定し、選定したＴＢＳ１００‐２にＨＯ‐ｒｅｑメッセージを送信するようＰＤＵ生成部１１３に指示し、ＰＤＵ生成部１１３から当該メッセージが送信される。ＨＯ‐ｒｅｑメッセージはＡＳＮ‐ＧＷ３００を介して送信される。【００８７】
次いで、ＴＢＳ１００‐２は、ＨＯ‐ｒｅｑメッセージを受信し、ＨＯ‐ｒｓｐメッセージをＳＢＳ１００‐１に送信する（Ｓ２０）。ＨＯ‐ｒｓｐメッセージには、ＭＳ２００を受け入れることができるか否かの情報と、受け入れる場合、ＴＢＳ１００‐２に接続を開始するためにＲａｎｇｉｎｇ処理に関する情報等が含まれる。例えば、ＴＢＳ１００‐２の制御部１１８がこれらの情報を含むＨＯ‐ｒｓｐメッセージの生成をＰＤＵ生成部１１３に指示し、ＰＤＵ生成部１１３から送信される。【００８８】
次いで、ＳＢＳ１００‐１は、ＨＯ‐ｒｓｐメッセージを受信すると、ＢＳＨＯ‐ＲＳＰメッセージをＭＳ２００に送信する（Ｓ２１）。ＢＳＨＯ‐ＲＳＰメッセージには、ＭＳ２００の受け入れ可能なＴＢＳ（Ｒｅｃｏｍｍｅｎｄｅｄ  ＴＢＳ）が含まれる。例えば、ＳＢＳ１００‐１の制御部１１８とＰＤＵ生成部１１３が当該メッセージを生成して、ＭＳ２００に送信する。【００８９】
次いで、ＳＢＳ１００‐１は、ＨＯ‐ｒｓｐメッセージを受信したことを示すＨＯ‐ａｃｋメッセージをＴＢＳ１００‐２に送信する（Ｓ２２）。例えば、ＳＢＳ１００‐１の制御部１１８とＰＤＵ生成部１１３とが当該メッセージを生成し、ＴＢＳ１００‐２に送信する。【００９０】
ＢＳＨＯ‐ＲＳＰメッセージを受信したＭＳ２００は、ＨＯ‐ＩＮＤメッセージをＳＢＳ１００‐１に送信する（Ｓ２３）。ＨＯ‐ＩＮＤメッセージには、ハンドオーバ先のＴＢＳ１００‐２の情報が含まれる。例えば、ＭＳ２００の制御部２２２が決定し、制御部２２２とＰＤＵ生成部２３３が当該メッセージを生成し、ＴＢＳ１００‐２に送信する。【００９１】
ＳＢＳ１００‐１は、ＨＯ‐ＩＮＤメッセージを受信すると、ＨＯ‐ｃｏｎｆｉｒｍメッセージをＴＢＳ１００‐２に送信する（Ｓ２４）。このメッセージの送信により、ＴＢＳ１００‐２にＭＳ２００がハンドオーバすることが通知される。例えば、ＳＢＳ１００‐１の制御部１１８とＰＤＵ生成部１１３とが当該メッセージを生成し、ＴＢＳ１００‐２に送信される。【００９２】
ＨＯ‐ＩＮＤメッセージを送信した後、ＭＳ２００は、ＴＢＳ１００‐２と同期し、ＲＮＧ‐ＲＥＱメッセージを送信し、ＴＢＳ１００‐２と接続を開始する（Ｓ２５）。例えば、ＭＳ２００の制御部２２２とＰＤＵ生成部２３３が当該メッセージを生成し、ＴＢＳ１００‐２に送信する。【００９３】
ＴＢＳ１００‐２は、ＲＮＧ‐ＲＥＱメッセージを受信すると、ＲＮＧ‐ＲＳＰメッセージをＭＳ２００に送信する（Ｓ２６）。ＲＮＧ‐ＲＳＰメッセージには新しいコネクションＩＤ（ＣＩＤ）等の情報が含まれる。例えば、ＴＢＳ１００‐２の制御部１１８とＰＤＵ生成部１１３が当該メッセージを生成し、ＭＳ２００に送信する。以後、ＴＢＳ１００‐２が新しいＳＢＳとなる。【００９４】
次に、スキャン期間「ｓｃａｎ  ｄｕｒａｔｉｏｎ」の設定（Ｓ１３）の詳細について説明する。スキャン期間は、例えば、周辺ＢＳ１００への同期に必要な時間、及び受信信号レベルの測定に必要な時間を含む。ＭＳ２００は、受信信号レベルの測定中に、ＤＣＤ及びＵＣＤメッセージを受信できる。【００９５】
同期に必要な時間については、例えば、各周辺ＢＳ１００の中心周波数（例えば、ＦＡ）に基づいてその長さを設定する。図１１は各ＢＳ１００における中心周波数の関係例を示す図である。【００９６】
図１１は、ＳＢＳ１００‐１には８つの周辺ＢＳ１００（ＢＳ１１，ＢＳ１３〜ＢＳ３３）があり、３つの中心周波数（バンド幅「１０Ｍｈｚ」で、ｆ１〜ｆ３）と３つのＳｕｂｃｈａｎｎｅｌでＰｒｅａｍｂｌｅを運用する例を示す。【００９７】
ＳＢＳ１００‐１の中心周波数が「ｆ１」のとき（図１１ではＳＢＳ１００‐１をＢＳ１２として示している）、ＭＳ２００は、同一中心周波数の異なるＳｕｂｃｈａｎｎｅｌを利用する周辺ＢＳ１１，ＢＳ１３に対して、異なる中心周波数を利用する周辺ＢＳ２１〜ＢＳ３３と比較して、Ｐｒｅａｍｂｌｅを検出するのは極めて早い。逆に、ＭＳ２００が異なる中心周波数を利用するＢＳ２１〜ＢＳ３３に同期してＰｒｅａｍｂｌｅを検出するのは、ＢＳ１１，ＢＳ１３と比較して時間を要する。ＭＳ２００は、これらのことを考慮して、同期に必要な時間、さらに「ｓｃａｎ  ｄｕｒａｔｉｏｎ」を決定すればよい。【００９８】
一方、例えばシステム設計の際に、各ＢＳ１００から送信されるＤＣＤ及びＵＣＤメッセージの送信タイミングは、ＭＳ２００の同期に必要な時間を考慮して周期的に送信するようにすることもできる。【００９９】
例えば、異なる中心周波数のＢＳ１００（図１１の例では、ＢＳ２１等）がＤＣＤ及びＵＣＤメッセージを送信するタイミングは、ＭＳ２００が中心周波数を調整して同期できるのに十分な時間間隔を空ける。また、同じ中心周波数で異なるＳｕｂｃｈａｎｎｅｌを利用するＢＳ１００（図１１の例では、ＢＳ１１等）は、ＭＳ２００が受信信号レベルを測定できる時間間隔を確保し、一回のスキャン期間ですべてのＢＳ１００をスキャンできるように、時間間隔をできるだけ小さくする。【０１００】
このようにすることで、例えば、ＭＳ２００は次のＤＣＤ及びＵＣＤメッセージが送信される時間まで待たずに、短い時間間隔ですべての周辺ＢＳ１００に同期してＤＣＤ及びＵＣＤメッセージを受信できる。【０１０１】
図１２（Ａ）及び同図（Ｂ）は、ＤＣＤ及びＵＣＤメッセージの送信タイミングと「ｓｃａｎ  ｄｕｒａｔｉｏｎ」の設定例を示す図である。【０１０２】
図１２（Ａ）は中心周波数がＳＢＳ１００‐１と同一の場合の設定例である。中心周波数が同一のため、ＭＳ２００は中心周波数を調整するための時間が不要である。【０１０３】
一方、図１２（Ｂ）は中心周波数がＳＢＳ１００‐１と異なる場合の設定例である。この場合、ＭＳ２００は中心周波数を調整するための時間（「ＦＡ  Ａｄｊｕｓｔ」）が必要で、この時間を考慮して「ｓｃａｎ  ｄｕｒａｔｉｏｎ」を設定する。なお、同図（Ｂ）の「ｓｃａｎ  ｄｕｒａｔｉｏｎ」は、中心周波数が同一の周辺ＢＳ１００をスキャンし、中心周波数を調整し、異なる中心周波数の周辺ＢＳ１００をスキャンし、再度ＳＢＳ１００‐１に接続するために中心周波数を調整するまでの期間の総和となる。【０１０４】
また、図１２（Ａ）及び同図（Ｂ）に示す例は、１回のスキャン期間を指定する例を示しているが、ＭＳ２００は２回以上のスキャン期間に分けて指定することもできる。ＭＳ２００はスキャン中、ＳＢＳ１００‐１との通信が中断するため、スキャン期間を分けることにより、連続的な中断時間を短くすることができる。【０１０５】
図１３〜図１６はＢＳ１００とＭＳ２００で行われる処理の例を示すフローチャートである。図１３（Ａ）はＮＢＲ‐ＡＤＶメッセージの送信処理、同図（Ｂ）はＤＣＤ及びＵＣＤメッセージの送信処理の各例を示すフローチャートである。【０１０６】
ＢＳ１００は、ＮＢＲ‐ＡＤＶメッセージを送信する時間になると（Ｓ３０でＹｅｓ）、ＮＢＲ‐ＡＤＶメッセージを送信する（Ｓ３１）。一方、ＢＳ１００は当該メッセージを送信する時間でないとき（Ｓ３０でＮｏ）、当該時間になるまで本処理（Ｓ３０）を繰り返す。当該メッセージを送信後、処理は再びＳ３０に移行する。【０１０７】
例えば、ＢＳ１００の制御部１１８は、タイマ等により時間を測定し、記憶部１１７に記憶された送信時間になると、ＮＢＲ‐ＡＤＶメッセージの生成をＰＤＵ生成部１１３に指示し、ＰＤＵ生成部１１３から当該メッセージが送信される。【０１０８】
また、ＢＳ１００は、ＤＣＤ及びＵＣＤメッセージを送信する時間になると（Ｓ４０でＹｅｓ）、ＤＣＤ及びＵＣＤメッセージを送信する（Ｓ４１）。一方、ＢＳ１００は当該メッセージを送信する時間でないとき、当該時間になるまで本処理（Ｓ４０）を繰り返す。当該メッセージを送信後、処理は再びＳ４１に移行する。【０１０９】
例えば、制御部１１８が時間を測定し、ＰＤＵ生成部１１３とによりＤＣＤ及びＵＣＤメッセージを送信する。【０１１０】
図１４（Ａ）はＭＳ２００のＮＢＲ‐ＡＤＶメッセージの受信処理、同図（Ｂ）はＭＳ２００のＤＣＤ及びＵＣＤメッセージの受信処理の各例を示すフローチャートである。【０１１１】
ＭＳ２００は、ＳＢＳ１００‐１からＮＢＲ‐ＡＤＶメッセージが送信されるのを待ち（Ｓ５０）、ＮＢＲ‐ＡＤＶメッセージを受信すると（Ｓ５１）、ＮＢＲ‐ＡＤＶメッセージに含まれる周辺基地局情報を更新する（Ｓ５２）。周辺基地局情報は、例えば周辺ＢＳ１００の識別情報や、周辺ＢＳ１００がＤＣＤ及びＵＣＤメッセージを送信する指示情報などである。更新後、処理は再びＳ５０に移行する。【０１１２】
また、ＭＳ２００は、周辺ＢＳ１００からＤＣＤ及びＵＣＤメッセージを受信するのを待ち（Ｓ６０）、指示情報に基づいて当該メッセージを受信すると（Ｓ６１）、当該メッセージに含まれるＤＣＤ及びＵＣＤ情報を更新する（Ｓ６２）。ＤＣＤ及びＵＣＤ情報には、「ＵＣＤ  ｓｅｔｔｉｎｇｓ」及び「ＤＣＤ  ｓｅｔｔｉｎｇｓ」がそれぞれ含まれる。更新後、処理は再びＳ６０に移行する。【０１１３】
更新（Ｓ５２，Ｓ６２）は、例えば制御部２２２が記憶部２２１に各情報を記憶することで行われる。【０１１４】
図１５（Ａ）はＳＢＳ１００‐１におけるスキャン期間のネゴシエーション処理の例、同図（Ｂ）はＭＳ２００におけるネゴシエーション処理とスキャン処理の例をそれぞれ示すフローチャートである。【０１１５】
ＳＢＳ１００‐１は、ＭＳ２００からＳＣＮ‐ＲＥＱメッセージが送信されるのを待ち（Ｓ７０）、ＳＣＮ‐ＲＥＱを受信すると（Ｓ７１）、ＳＣＮ‐ＲＳＰメッセージを生成し（Ｓ７２）、ＭＳ２００に送信する（Ｓ７３）。ＳＣＮ‐ＲＳＰメッセージには、ＴＢＳの候補（Ｒｅｃｏｍｍｅｎｄｅｄ  ＴＢＳ）の情報や、スキャン期間を指定するパラメータの情報等が含まれる。ＳＣＮ‐ＲＳＰメッセージが送信された後、処理は再びＳ７０に移行する。【０１１６】
一方、ＭＳ２００は、受信信号レベル（例えば、ＲＳＳＩ）が閾値（ＴＨｓｃａｎ）以下になるまで待ち（Ｓ８０でＮｏ）、以下になると（Ｓ８０でＹｅｓ）、ＳＣＮ‐ＲＥＱメッセージを生成し（Ｓ８１）、ＳＢＳ１００‐１に送信する（Ｓ８２）。ＳＣＮ‐ＲＥＱメッセージには、ＭＳ２００が周辺ＢＳをスキャンするためのスキャン期間を指定するパラメータの情報等が含まれる。【０１１７】
次いで、ＭＳ２００は、ＳＣＮ‐ＲＳＰメッセージの受信を待ち（Ｓ８３）、当該メッセージを受信すると（Ｓ８４）、スキャン期間でスキャンを実行して周辺ＢＳ１００に同期し、周辺ＢＳ１００の受信信号レベル（例えば、ＲＳＳＩ）の測定と、周辺ＢＳ１００からＤＣＤ及びＵＣＤメッセージの受信を行う（Ｓ８５）。Ｓ８５の処理が行われた後、ＭＳ２００は再びＳ８０の処理を行う。【０１１８】
図１６（Ａ）はＳＢＳ１００‐１、同図（Ｂ）はＭＳ２００の各ハンドオーバ処理の例を示すフローチャートである。【０１１９】
ＳＢＳ１００‐１は、ＭＳ２００からＭＳＨＯ‐ＲＥＱメッセージが送信されてくるのを待ち（Ｓ９０）、当該メッセージを受信すると（Ｓ９１）、ＢＳＨＯ‐ＲＳＰメッセージを生成する（Ｓ９２）。そして、ＳＢＳ１００‐１は、ＢＳＨＯ‐ＲＳＰメッセージをＭＳ２００に送信し（Ｓ９４）、ＭＳ２００からＨＯ‐ＩＮＤメッセージが送信されてくるのを待ち（Ｓ９４）、当該メッセージを受信する（Ｓ９５）。処理は再びＳ９０に移行する。【０１２０】
一方、ＭＳ２００は、受信信号レベル（例えば、ＲＳＳＩ）が閾値（ＴＨｈａｎｄｏｖｅｒ）を下回るまで待ち（Ｓ１００でＮｏ）、下回ると（Ｓ１００でＹｅｓ）、ＭＳＨＯ‐ＲＥＱメッセージを生成して（Ｓ１０１）、ＳＢＳ１００‐１に送信する（Ｓ１０２）。【０１２１】
そして、ＭＳ２００は、ＳＢＳ１００‐１からＢＳＨＯ‐ＲＳＰメッセージが送信されてくるのを待ち（Ｓ１０３）、当該メッセージを受信すると（Ｓ０１４）、ＴＢＳを決定する（Ｓ１０５）。その後、ＭＳ２００は、ＨＯ‐ＩＮＤメッセージを生成し（Ｓ１０６）、ＳＢＳ１００‐１に送信する（Ｓ１０７）。処理は再びＳ１００に移行する。【０１２２】
このように本実施例において、ＳＢＳ１００‐１は、周辺ＢＳ１００がＤＣＤ及びＵＣＤメッセージを受信するのに必要な指示情報をＮＢＲ‐ＡＤＶメッセージ含めて送信し、ＭＳ２００は指示情報等に基づいて周辺ＢＳ１００からＤＣＤ及びＵＣＤメッセージを受信する。【０１２３】
したがって、ＮＢＲ‐ＡＤＶメッセージには周辺ＢＳ１００に接続するための通信パラメータ情報、例えば「ＤＣＤ  ｓｅｔｔｉｎｇｓ」及び「ＵＣＤ  ｓｅｔｔｉｎｇｓ」が含まれないため、ＳＢＳ１００‐１は、これらの情報を含むＮＢＲ‐ＡＤＶメッセージを送信する場合と比較して、少ない無線帯域で送信できる。従って、ＳＢＳ１００‐１は、その分、他データの送受信のために利用できるため、無線帯域を有効活用できる。【０１２４】
一方、ＭＳ２００は、ＮＢＲ‐ＡＤＶメッセージに周辺ＢＳ１００の通信パラメータ情報が含まれないため、これらの情報を処理する必要がなくなり、消費電力を削減できる。ＮＢＲ‐ＡＤＶメッセージに含まれる情報量が少なくなったため、通信パラメータ情報を含む場合と比較して、ハンドオーバ時間を短縮できる。ＭＳ２００は、周辺ＢＳ１００に接続するための通信パラメータ情報を周辺ＢＳ１００からのＤＣＤ及びＵＣＤメッセージにより受信する。【０１２５】
＜第３の実施例＞  
次に第３の実施例について説明する。図１７は第３の実施例における動作例を示すシーケンス図である。【０１２６】
ＭＳ２００は、ＳＢＳ１００‐１からＮＢＲ‐ＡＤＶメッセージを受信し、ＳＢＳ１００‐１からの受信信号レベル（例えば、ＲＳＳＩ、ＣＩＮＲなど）が閾値（ＴＨｓｃａｎ）より低くなると（Ｓ１１０）、ＳＣＮ‐ＲＥＱメッセージをＳＢＳ１００‐１に送信する（Ｓ１１１）。【０１２７】
本第３の実施例において、ＭＳ２００は、周辺ＢＳ１００からのＰｒｅａｍｂｌｅの受信信号レベルを測定できるだけの期間を第一のスキャン期間として、ＳＣＮ‐ＲＥＱメッセージに含めて送信する。Ｐｒｅａｍｂｌｅ測定のためのスキャン期間は、第２の実施例と同様に、ＳＣＮ‐ＲＥＱメッセージを送信後にスキャンを開始する無線フレーム（「ｓｔａｒｔ  ｆｒａｍｅ」）と、スキャン期間（「ｓｃａｎ  ｄｕｒａｔｉｏｎ」）、スキャン期間の繰り返し期間（「ｓｃａｎ  ｉｎｔｅｒｖａｌ」）の各パラメータで指定されてもよい。周辺ＢＳが複数あることを考慮して、ＭＳ２００は「ＢＳＩＤ」や「Ｐｒｅａｍｂｌｅ  Ｉｎｄｅｘ」をＳＣＮ‐ＲＥＱメッセージに含めるようにしてもよい。【０１２８】
例えば、ＭＳ２００の制御部２２２は、ＮＢＲ‐ＡＤＶメッセージで受信した指示情報に基づいて、スキャン期間のパラメータを設定し、ＰＤＵ生成部２３３にＳＣＮ‐ＲＥＱメッセージの生成の指示ととにもパラメータを出力する。ＰＤＵ生成部２３３からはＳＣＮ‐ＲＥＱメッセージが符号化部２３４等を介して送信される。【０１２９】
ＳＣＮ‐ＲＥＱメッセージを受信すると、ＳＢＳ１００‐１は、ＳＣＮ‐ＲＳＰメッセージをＭＳ２００に送信する（Ｓ１１２）。ＳＣＮ‐ＲＳＰメッセージには、スキャン期間を指定するパラメータ、スキャン対象の周辺ＢＳ１００の「ＢＳＩＤ」や「Ｐｒｅａｍｂｌｅ  Ｉｎｄｅｘ」等が含まれる。ＳＢＳ１００‐１は、これらの情報がＳＣＮ‐ＲＥＱメッセージに含まれていればその情報をそのままＳＣＮ‐ＲＳＰメッセージに含めてもよいし、ＳＢＳ１００‐１が決定した情報を含めてもよい。【０１３０】
ＳＣＮ‐ＲＳＰメッセージを受信すると、ＳＢＳ１００‐１は、ＳＣＮ‐ＲＳＰメッセージに含まれるスキャン期間で周辺ＢＳ１００と同期し、周辺ＢＳ１００からのＰｒｅａｍｂｌｅを受信し、その受信信号レベル（ＲＳＳＩなど）を測定する（Ｓ１１３，Ｓ１１４）。ＭＳ２００は、受信信号レベルをＳＢＳ１００‐１に送信しもてよい。ＭＳ１００は、受信信号レベルを測定することで、受信信号レベルが閾値以上の周辺ＢＳ１００を探査している。【０１３１】
次いで、ＭＳ２００は、受信信号レベルが閾値以上の周辺ＢＳ１００からＤＣＤ及びＵＣＤメッセージを受信するための第二のスキャン期間をネゴシエーションするために、ＳＢＳ１００‐１にＳＣＮ‐ＲＥＱメッセージを送信する（Ｓ１１５）。ＭＳ２００は、第二のスキャン期間でＤＣＤ及びＵＣＤメッセージを受信できるように、「ｓｃａｎ  ｄｕｒａｔｉｏｎ」等、スキャン期間を指定するパラメータを設定し、ＳＣＮ‐ＲＥＱメッセージに含めて送信する。【０１３２】
ＳＢＳ１００‐１は、ＳＣＮ‐ＲＥＱメッセージを受信すると、第二のスキャン期間を指定するパラメータや、スキャン対象の周辺ＢＳ１００の「ＢＳＩＤ」、「Ｐｒｅｍａｂｌｅ  Ｉｎｄｅｘ」等を含むＳＣＮ‐ＲＳＰメッセージをＭＳ２００に送信する（Ｓ１１６）。第二のスキャン期間を指定するパラメータはＳＢＳ１００‐１自身が決定したパラメータでもよいし、ＭＳ２００から送信されたパラメータをそのまま返送するようにしてもよい。【０１３３】
次いで、ＭＳ２００は、指定された第二のスキャン期間で周辺ＢＳと同期し、スキャン期間で周辺ＢＳ１００からＤＣＤ及びＵＣＤメッセージを受信する（Ｓ１１８）。ＤＣＤ及びＵＣＤメッセージの受信により、通信パラメータ情報、例えば「ＤＣＤ  ｓｅｔｔｉｎｇｓ」及び「ＵＣＤ  ｓｅｔｔｉｎｇｓ」をＭＳ２００は受信できる。【０１３４】
なお、ＳＢＳ１００‐１は、スキャン期間においてＭＳ２００にデータや制御情報は送信しないようにする。また、ＭＳ２００は受信したＤＣＤ及びＵＣＤメッセージに含まれる情報を記憶部２２１に記憶する。さらに、ＭＳ２００はＰｒｅａｍｂｌｅの受信信号レベルを測定してもよい。【０１３５】
本第３の実施例においても、ＮＢＲ‐ＡＤＶメッセージには周辺ＢＳ１００に接続するための通信パラメータ情報が含まれないため、ＳＢＳ１００‐１は通信パラメータ情報を含めて送信する場合と比較して少ない無線帯域で送信できる。従って、無線帯域を有効活用できる。【０１３６】
一方、ＭＳ２００は、ＮＢＲ‐ＡＤＶメッセージに周辺ＢＳ１００の通信パラメータ情報が含まれないため、これらの情報を処理する必要がなくなり、消費電力を削減できる。【０１３７】
上述した第３の実施例において、ＭＳ２００は、Ｐｒｅａｍｂｌｅ測定のための第一のスキャン期間と、ＤＣＤ及びＵＣＤメッセージ受信するための第二のスキャン期間とを個別に行った（Ｓ１１１，Ｓ１１５）。受信可能なＰｒｅｍａｂｌｅの周辺ＢＳ１００に応じて、第二のスキャン期間を最適に設定するためである。例えば、ＭＳ２００は第一のスキャン期間を設定するときに第二のスキャン期間を指定するようにしてもよい。【０１３８】
また、第一のスキャン実施（Ｓ１１３，Ｓ１１４）後に、ＳＢＳ１００‐１からの受信信号レベルがハンドオーバの実施が必要なほど悪化した場合、ＭＳ２００は第二のスキャンのネゴシエーション（Ｓ１１５，Ｓ１１６）を行わずに、ハンドオーバを実施することもできる。この場合、ＭＳ２００はＨＯ‐ＩＮＤメッセージを送信（Ｓ２３）後、ＴＢＳ１００‐２に同期し、そのときにＴＢＳ１００‐２からＤＣＤ及びＵＣＤメッセージを受信する。ＭＳ２００は、ＮＢＲ‐ＡＤＶメッセージの受信（Ｓ１０）により、ＴＢＳ１００‐２がＤＣＤ及びＵＣＤメッセージの指示情報を保持しているため、その情報に基づいてＤＣＤ及びＵＣＤメッセージを受信できる。その後、ＭＳ２００はＲＮＧ‐ＲＥＱメッセージをＴＢＳ１００‐２に送信し、ハンドオーバを実行する（Ｓ２５）。
【図１】
2010079532.tif 000003
【図２】
2010079532.tif 000004
【図３】
2010079532.tif 000005
【図４】
2010079532.tif 000006
【図５】
2010079532.tif 000007
【図６】
2010079532.tif 000008
【図７】
2010079532.tif 000009
【図８】
2010079532.tif 000010
【図９】
2010079532.tif 000011
【図１０】
2010079532.tif 000012
【図１１】
2010079532.tif 000013
【図１２】
2010079532.tif 000014
【図１３】
2010079532.tif 000015
【図１４】
2010079532.tif 000016
【図１５】
2010079532.tif 000017
【図１６】
2010079532.tif 000018
【図１７】
2010079532.tif 000019
【図１８】
2010079532.tif 000020
【国際調査報告】
2010079532.tif 000021
2010079532.tif 000022